(57)【要約】  動物の足裏を保護しつつ、容易に保湿することができる動物用被覆材を提供すること。  動物（Ｄ）の足（Ｆ）を支持するソール部（２）と、ソール部（２）の周縁部に取り付けられて足（Ｆ）を包み込むアッパー部（３）と、を有し、動物（Ｄ）の足裏（Ｆａ）を被覆する動物用被覆材（シューズ１）であって、少なくともソール部（２）の動物（Ｄ）の足裏（Ｆａ）に接触する足裏接触面（５）は、ゴム弾性を有すると共に、常温で液体の炭化水素油（７）を含有したエラストマー（６）によって形成されている構成とした。
2019008893.tif 000002
【特許請求の範囲】
【請求項１】
動物の足を支持するソール部と、前記ソール部の周縁部に取り付けられて前記足を包み込むアッパー部と、を有し、前記動物の体表面を被覆する動物用被覆材であって、
少なくとも前記ソール部の前記動物の足裏に接触する足裏接触面は、ゴム弾性を有すると共に、常温で液体の炭化水素油を含有したエラストマーによって形成されている
ことを特徴とする動物用被覆材。
【請求項２】
請求項１に記載された動物用被覆材において、
前記ソール部は、前記足裏接触面を有する前記エラストマーによって形成されたインソールと、前記インソールの外側を覆うと共に地面に接触する接地面を有する多孔質材によって形成されたアウトソールと、を有する
ことを特徴とする動物用被覆材。
【請求項３】
動物の体が挿入される筒状の包囲体を有し、前記動物の体表面を被覆する動物用被覆材であって、
少なくとも前記包囲体の前記動物に接触する内側接触面は、ゴム弾性を有すると共に、常温で液体の炭化水素油を含有したエラストマーによって形成されている
ことを特徴とする動物用被覆材。
【請求項４】
請求項１から請求項３のいずれか一項に記載された動物用被覆材において、
前記エラストマーは、天然ゴム、スチレンエラストマー、オレフィンエラストマー、ポリウレタンエラストマー、ポリエステルエラストマー、アクリルエラストマー及びシリコーンエラストマーからなる群から選択される少なくとも一種である
ことを特徴とする動物用被覆材。
【請求項５】
請求項１から請求項４のいずれか一項に記載された動物用被覆材において、
前記炭化水素油は、流動パラフィン、スクワラン及びスクワレンからなる群から選択される少なくとも一種である
ことを特徴とする動物用被覆材。
【発明の詳細な説明】
【技術分野】
【０００１】
本発明は、動物の体表面を覆う動物用被覆材に関する発明である。
【背景技術】
【０００２】
犬や猫等の動物の足裏には、一般的に肉球と呼ばれる皮膚が露出した部分があり、従来、この足裏の肉球を保護するため、足を支持するソール部と、このソール部の周縁部に取り付けられて足を包むアッパー部とを有する動物用被覆材が知られている（例えば、特許文献１）。
【先行技術文献】
【特許文献】
【０００３】
【特許文献１】特開２００６−２６２７３４号公報
【発明の概要】
【発明が解決しようとする課題】
【０００４】
ところで、動物の足裏にある肉球は、皮膚が露出しているため、散歩の際の衝撃や、フローリングの化学薬品等の影響を受け、硬化・角質化してしまう。そして、肉球が硬化すると、関節トラブルやヘルニア、転倒による骨折の原因になることもある。
一方、肉球の硬化・角質化を防止するためには、保湿することが有効である。また、傷の治療法として、傷口を乾燥させずに湿潤環境下で治す方法（湿潤療法）が知られおり、傷の治療にも皮膚を保護及び保湿することは必要である。【０００５】
しかしながら、例えば保湿クリームを塗布することは面倒であり、また、塗布した保湿クリームを動物自身が舐め取ってしまう等の問題もあり、適切に保湿することが難しかった。
また、従来の動物用被覆材は、アスファルトからの熱による火傷や、被覆材内部で足裏が滑ることは防止できるが、肉球の保湿をすることはできなかった。また、被覆材で肉球を覆ってしまうと、肉球の状態を容易に確認することができず、肉球の乾燥が進んでしまうおそれもあった。【０００６】
本発明は、上記問題に着目してなされたもので、動物の体表面を保護しつつ容易に保湿することができる動物用被覆材を提供することを目的とする。
【課題を解決するための手段】
【０００７】
上記目的を達成するため、本発明の動物用被覆材は、動物の足を支持するソール部と、ソール部の周縁部に取り付けられて足を包み込むアッパー部と、を有し、動物の体表面を被覆する。
そして、少なくともソール部の動物の足裏に接触する足裏接触面は、ゴム弾性を有すると共に、常温で液体の炭化水素油を含有したエラストマーによって形成されている。
【発明の効果】
【０００８】
この結果、動物用被覆材を動物に装着しておくことで、エラストマーにより体表面を保護しつつ、このエラストマーの分子の間から浸み出した炭化水素油が動物の体表面に付着し、この体表面から水分が失われるのを防ぐことができる。よって、動物の体表面を保護しつつ容易に保湿することができる。
【図面の簡単な説明】
【０００９】
【図１】実施例１のシューズに適用した動物用被覆材を装着した犬を示す全体斜視図である。
【図２】装着状態の実施例１のシューズの断面図である。
【図３】実施例１のシューズのソール部の拡大断面図である。
【図４】実施例２のサポーターに適用した動物用被覆材を装着した犬を示す全体斜視図である。
【図５】装着状態の実施例２のサポーターの断面図である。
【発明を実施するための形態】
【００１０】
以下、本発明の動物用被覆材を実施するための形態を、図面に示す実施例１及び実施例２に基づいて説明する。
【００１１】
（実施例１）
まず、構成を説明する。
実施例１における動物用被覆材は、図１に示すように、犬や猫等の動物Ｄの足Ｆの足先に装着し、足裏の肉球を保護するシューズ１として適用する。図２は、装着状態の実施例１のシューズの断面図であり、図３は、実施例１のシューズのソール部の拡大断面図である。以下、実施例１のシューズ１の構成を、図２及び図３に基づいて説明する。
【００１２】
実施例１のシューズ１は、図２に示すように、ソール部２と、アッパー部３と、を備えている。
【００１３】
ソール部２は、動物の足Ｆを支持する靴底部分であり、インソール２ａと、アウトソール２ｂと、を有している。
インソール２ａは、シューズ１の内側に配置され、動物の足裏Ｆａに接触する足裏接触面４を有している。このインソール２ａは、アウトソール２ｂに対して着脱可能になっている。また、アウトソール２ｂは、インソール２ａの外側（下側）を覆い、地面に接触する接地面５を有している。
【００１４】
ここで、インソール２ａは、ゴム弾性を有すると共に、常温で液体の炭化水素油７を含有したエラストマー６によって形成されている。
【００１５】
エラストマー６は、ここではシリコーンエラストマーである。このシリコーンエラストマーは、ケイ素化合物を主成分とし、オルガノポリシロキサンを主鎖として含むエラストマーである。シリコーンエラストマーは、他の有機系ポリマーと比べて化学的安定性があり、分子間力が小さくてコイル形成能が大きいため、弾力性に富み圧縮性が高いという性質を有している。また、耐熱性、耐寒性、耐候性、耐水性、耐スチーム性、電気導電性、電気絶縁性、熱伝導性、難燃性、耐油性、耐溶剤性、耐薬品性、耐摩耗性、耐放射線性を有している。さらに、引張り強度、引裂き強度が他の有機ポリマーと比べて高く、また、もともとは透明性であるが任意の色に着色する着色性は高いという性質も有している。
【００１６】
炭化水素油７は、炭素と水素との化合物及び各種の当該化合物の混合物である炭化水素を主成分とし、温度１５度及び１気圧において液状を呈するものであり、ここではスクワランである。スクワランは、不飽和炭化水素であるスクワレンに水素添加を施して飽和炭化水素とした炭化水素油である。ここでは、イソプレンより合成して得られる合成スクワランも含まれる。そして、スクワランは、皮脂からの水分蒸散を防止するエモリエント効果に優れ、保湿作用、収れん作用、柔軟作用を奏することができる。また、新陳代謝を活発にし、肌のターンオーバーを整える作用もある。さらに、もともとスクワレンが人や動物の体内に存在するため、皮脂に塗布した際にスクワランも異物とは認識されず、体内に浸透されやすいという特徴がある。そのため、天然の皮脂膜と同様に皮脂のバリアとしても働きかけることが可能であり、スクワランを皮膚に塗布することで、雑菌等から肌を保護することができる。
【００１７】
そして、このスクワランである炭化水素油７は、図３に示すように、エラストマー６を構成する多数のエラストマー分子６ａの間に浸透することで、エラストマー６に含有される。なお、炭化水素油７のエラストマー６への含有量は、例えば２％程度とする。
【００１８】
一方、アウトソール２ｂは、比較的耐摩耗性及び耐滑性に優れた布によって形成されている。ここで、布は、ミクロ的には布目が孔に相当する多孔質材である。すなわち、このアウトソール２ｂは、インソール２ａの外側を覆うと共に地面に接触する接地面５を有する多孔質材によって形成されている。
【００１９】
アッパー部３は、ソール部２の外周縁に一端が取り付けられた円筒形状を呈しており、動物の足Ｆの外側を覆う。このアッパー部３は、ここでは、アウトソール２ｂと同一の布によって形成され、下端部がアウトソール２ｂの外周縁に縫い付け固定されている。また、アッパー部３の上端部３ａはゴム編み状に形成されている。これにより、アッパー部３の上端部３ａは、足Ｆの周面にフィットする。
【００２０】
次に、作用を説明する。
まず、足裏保湿の必要性について説明し、続いて、実施例１の動物用被覆材の作用を「足裏保湿作用」、「足裏保護作用」に分けて説明する。
【００２１】
［足裏保湿の必要性］
犬や猫等の動物の足先には、一般的に爪を有する指部と、肉球と呼ばれる皮膚が露出した部分からなり、足先の接地面（足裏）のほとんどは肉球である。この肉球は、運動時のクッション的な役割を担い、運動時の衝撃を吸収して足の骨や関節などを守ったり、汗によって肉球を湿らせてすべり止めの役割を果たしたりする。
【００２２】
一方、肉球は、毎日の散歩でアスファルトを歩くことや、フローリングの化学薬剤等が原因となって乾燥し、硬化・角質化していく。そして、硬くなった肉球は、滑りやすく、関節トラブルやヘルニア、転倒による骨折の原因になることもある。
【００２３】
また、シニア期になると、肉球に角質の厚い層ができ、肉球が白っぽくなってガサガサになることがある。この状態を放置するとあかぎれのような切り傷ができ、そこから出血したり、雑菌が入り込んで思わぬ病気に感染することもある。さらに、肉球の乾燥によって歩行時に滑ることが多いと、骨格の形成にも悪影響を与える可能性がある。
【００２４】
このように、足裏の乾燥は肉球を傷つけ、思わぬトラブルを引き起こすため、保湿をすることが必要になっている。
【００２５】
［足裏保湿作用］
実施例１のシューズ１に動物Ｄの足Ｆを差し込み、このシューズ１を動物Ｄの足Ｆに装着すると、図２に示すように、足裏Ｆａがインソール２ａの足裏接触面４に接触する。ここで、足裏Ｆａには、一般的に皮膚が露出した肉球が存在するため、インソール２ａにはこの肉球が接触する。そして、動物Ｄは、歩行する度に、足裏Ｆａ（肉球）によって足裏接触面４を踏みしめることになる。
【００２６】
これに対し、実施例１のシューズ１では、インソール２ａが、ゴム弾性を有すると共に、スクワランである炭化水素油７を含有したエラストマー６（シリコーンエラストマー）によって形成されている。さらに、炭化水素油７は、常温で液体であり、エラストマー６を構成する多数のエラストマー分子６ａの間に浸透している。
【００２７】
そのため、この炭化水素油７は、時間の経過と共にエラストマー分子６ａの間を通って、例えば足裏接触面４といった表面に次第に浸み出ていく。これにより、インソール２ａの表面（足裏接触面４）には、炭化水素油７の被膜が常時形成される。一方、足裏接触面４に浸み出した炭化水素油７は、この足裏接触面４に接触した動物Ｄの足裏Ｆａに付着し、足裏Ｆａの表面に被膜を形成する。
【００２８】
ここで、スクワランである炭化水素油７は、皮脂からの水分蒸散を防止するエモリエント効果や保湿作用を奏することができ、体内に浸透して皮脂のバリアとしても作用することができる。そのため、足裏Ｆａに炭化水素油７が付着したことで、この足裏Ｆａの肉球から水分が失われることを防止でき、保湿することができる。
【００２９】
また、この炭化水素油７は、徐々に足裏接触面４に浸み出ていくため、この足裏接触面４に常時被膜を形成することができる。そのため、シューズ１を履くたびに動物Ｄの足裏Ｆａに炭化水素油７を付着させることができ、手間がかかることがない。さらに、足裏Ｆａの状態を目視で確認することができなくても、炭化水素油７がエラストマー６から浸み出るため、常時保湿することが可能になり、足裏状態の確認を不要とすることができる。
【００３０】
よって、シューズ１を動物Ｄに履かせておくことで、動物Ｄの足裏Ｆａの保湿を容易に行うことができる。
【００３１】
［足裏保護作用］
実施例１のシューズ１では、インソール２ａが、炭化水素油７を含有したエラストマー６によって形成されている。ここで、エラストマー６は、弾力性に富み圧縮性が高いという性質を有している。そのため、容易に変形が可能であり、足裏Ｆａへの衝撃を吸収することができて足裏Ｆａを保護することができる。
【００３２】
また、エラストマー６がシリコーンエラストマーであることから、耐熱性、耐寒性、耐水性、耐スチーム性等を有しており、熱や寒さ、水や汚れ等から動物Ｄの足裏Ｆａを保護することができる。よって、シューズ１を動物Ｄに履かせておくことで、動物Ｄの足裏Ｆａを保護することができる。
【００３３】
さらに、この実施例１では、ソール部２が、足裏接触面４を有するエラストマー６によって形成されたインソール２ａと、このインソール２ａの外側を覆うと共に地面に接触する接地面５を有するアウトソール２ｂと、を有している。ここで、アウトソール２ｂは、ミクロ的には布目が孔に相当する多孔質材である布によって形成されている。
【００３４】
そのため、インソール２ａを形成するエラストマー６に含有された炭化水素油７は、エラストマー６から浸み出た後、アウトソール２ｂを浸透して接地面５に浸み出ていくことができる。これにより、接地面５にも炭化水素油７の被膜が形成されることになり、この炭化水素油７の被膜が滑り止めとなって、接地面５の滑りを防止することができる。
【００３５】
さらに、この実施例１では、ソール部２が、インソール２ａとアウトソール２ｂとの二層構造になっているため、アウトソール２ｂによって動物Ｄへの衝撃を吸収すると共に、インソール２ａが傷つくことを防止できる。しかも、この実施例１では、インソール２ａが着脱可能になっているので、例えば長期間の使用によって炭化水素油７の含有量が低下した際、このインソール２ａのみを取り換えることができる。また、インソール２ａを外した状態でシューズ１を洗濯すれば、インソール２ａを形成するエラストマー６に含有した炭化水素油７が不要に低減することを防止しつつ、シューズ１を清潔に保つことができる。
【００３６】
なお、この実施例１では、エラストマー６がシリコーンエラストマーである例を示した。しかしながら、エラストマー６としてはこれに限定されず、ゴム弾性を有すると共に、常温で液体の炭化水素油７を含有することができればよい。すなわち、このエラストマー６は、例えば、天然ゴム、スチレンエラストマー、オレフィンエラストマー、ポリウレタンエラストマー、ポリエステルエラストマー、アクリルエラストマーであってもよい。
【００３７】
これらは、いずれもゴム弾性を有すると共に、それぞれ耐熱性、耐寒性、耐水性、機械的強度、耐摩擦性、耐候性、耐油性等のいずれかの性質を有している。そして、容易に変形し、動物Ｄの足Ｆへの衝撃を吸収することができる。
【００３８】
ここで、天然ゴムは、天然のゴムノキの樹液に含まれる（乳液）から精製され、その成分は、化学的には高シスポリイソプレンである。また、スチレンエラストマーは、ポリスチレンからなるハードセグメントと、ポリエチレン・ポリブチレンからなるソフトセグメントをブロック状に共重合させた基本単位構造を持つ。また、オレフィンエラストマーは、一般的にポリプロピレンの中にエチレン−プロピレンゴムを微分散させた熱可塑性エラストマーである。ウレタンエラストマーは、低分子ジオール及びジイソシアネートから生成するハードセグメントと、高分子ジオール及びジイソシアネートから生成するソフトセグメントとを有する。ポリエステルエラストマーは、ジカルボン酸又はその誘導体とジオール化合物又はその誘導体とを重縮合して得られる。アクリルエラストマーは、アクリル酸エステルとエポキシ基を有する単重体並びにビニル系単重体とを共重合して得られる。
【００３９】
また、この実施例１では、炭化水素油７がスクワランである例を示した。しかしながら、これに限定されず、炭化水素油７としては、常温で液体状を保ち、保湿機能を有すると共に、エラストマー６に含有可能であればよい。すなわち、この炭化水素油７は、流動パラフィン、或いはスクワレンであってもよい。
【００４０】
ここで、流動パラフィンは、石油の比較的粘度の低い潤滑油留分を、高度に精製した無味、無臭、無色透明の油状液体である。また、スクワレンは、深海産の魚類、特にサメ類の肝油中に存在し、あるいはオリーブ油、コメヌカ油、小麦胚芽油、ゴマ油、綿実油等の植物油中にも存在し、さらに、人の皮脂の中にも存在する。これらより抽出することでスクワレンを得ることができる。そして、これらは、いずれも常温で液体であり、皮膚に塗布した際、高い保湿作用を奏することができる。
【００４１】
次に、効果を説明する。
実施例１の動物用被覆材にあっては、下記に列挙する効果を得ることができる。
【００４２】
(1) 動物Ｄの足Ｆを支持するソール部２と、前記ソール部２の周縁部に取り付けられて前記足Ｆを包み込むアッパー部３と、を有し、前記動物Ｄの体表面（足裏Ｆａ）を被覆する動物用被覆材（シューズ１）であって、
少なくとも前記ソール部２の前記動物Ｄの足裏Ｆａに接触する足裏接触面４は、ゴム弾性を有すると共に、常温で液体の炭化水素油７を含有したエラストマー６によって形成されている構成とした。
これにより、動物Ｄの体表面（足裏Ｆａ）を保護しつつ、容易に保湿することができる。
【００４３】
(2) 前記ソール部２は、前記足裏接触面４を有する前記エラストマー６によって形成されたインソール２ａと、前記インソール２ａの外側を覆うと共に地面に接触する接地面５を有する多孔質材（布）によって形成されたアウトソール２ｂと、を有する構成とした。
これにより、(1)の効果に加え、エラストマー６から浸み出た炭化水素油７によって、接地面５の滑りを防止することができる。
【００４４】
(3) 前記エラストマー６は、天然ゴム、スチレンエラストマー、オレフィンエラストマー、ポリウレタンエラストマー、ポリエステルエラストマー、アクリルエラストマー及びシリコーンエラストマーからなる群から選択される少なくとも一種である構成とした。
これにより、(1)又は(2)の効果に加え、エラストマー６がゴム弾性を有し、動物Ｄへの衝撃を吸収して、適切に保護することができる。
【００４５】
(4) 前記炭化水素油７は、流動パラフィン、スクワラン及びスクワレンからなる群から選択される少なくとも一種である構成とした。
これにより、(1)〜(3)のいずれかの効果に加え、炭化水素油７が常温で液体状を保ち、保湿機能を有することで、エラストマー６から徐々に浸み出して動物Ｄの体表面の保湿を適切に行うことができる。
【００４６】
（実施例２）
実施例２における動物用被覆材は、図４に示すように、動物Ｄの足Ｆや胴体Ｂ等の体に装着し、傷を保護するサポーター１０として適用する。図５は、装着状態の実施例２のサポーターの断面図である。以下、実施例２のサポーター１０の構成を、図５に基づいて説明する。
【００４７】
実施例２のサポーター１０は、両端が開放した筒状（ここでは円筒状）の包囲体１１を有し、動物Ｄの足Ｆ（四肢）や胴体Ｂ等の体の一部が挿入される。
【００４８】
この包囲体１１は、ゴム弾性を有すると共に、常温で液体の炭化水素油７を含有したエラストマー６によって形成されている。なお、エラストマー６及び炭化水素油７については、実施例１と同様であるので、ここでは詳細な説明を省略する。
また、この包囲体１１は、動物Ｄの体表面Ｄａに接触する内側接触面１２を含む全体が、エラストマー６のみによって形成されている。そして、このエラストマー６のゴム弾性力によって、内側接触面１２が動物Ｄの足Ｆの周面（体表面Ｄａ）にフィットしている。
【００４９】
次に、作用を説明する。
動物Ｄが足Ｆや胴体Ｂ等の体に切り傷や擦り傷等の傷を負った場合、傷の周囲の体毛を剃り、皮膚を露出して治療することが一般的である。そのため、治療が完了した後も体毛が生え揃うまでは皮膚及び傷口が露出した状態になる。また、動物Ｄ自身が体を舐めすぎたり、引っ掻いたりして脱毛し、皮膚が露出することもある。
【００５０】
一方で、皮膚や傷口が露出していると、動物Ｄは本能的に舐めて治そうとする。しかしながら、舐めることで傷口に雑菌が入ったり、脱毛が激しくなることもある。さらに、薬を塗布しても舐め取られてしまうこともある。
【００５１】
また、傷の治療法として、傷口を乾燥させずに湿潤環境下で治す方法（湿潤療法）がある。この湿潤療法では、傷口を乾燥させず、また雑菌が付着することを防止する必要がある。
【００５２】
これに対し、実施例２のサポーター１０を動物Ｄの足Ｆに装着すると、図５に示すように、足Ｆの周面（体表面Ｄａ）がサポーター１０の内側接触面１２に隙間なくフィットする。そして、足Ｆにできた傷をこのサポーター１０の包囲体１１で覆うと、傷及びその周囲の皮膚がこの包囲体１１によってカバーされる。
【００５３】
一方、包囲体１１は、炭化水素油７を含有したエラストマー６によって形成されており、炭化水素油７が内側接触面１２等の表面から浸み出てくる。そのため、包囲体１１で傷を覆うことで、エラストマー６から浸み出した炭化水素油７が傷及びその周囲の皮膚に付着し、傷やその周囲の皮膚の保湿を行うことができる。
【００５４】
また、傷及びその周囲の皮膚を包囲体１１で覆うため、動物Ｄが傷口やその周辺を舐めたりひっかいたりしても、エラストマー６が変形して衝撃を吸収したり水分を撥水することで雑菌の侵入を抑制し、傷を保護することができる。そのため、適切な湿潤療法を実施することができる。
【００５５】
なお、このサポーター１０は、図４に示すように、動物Ｄの胴体Ｂに形成された傷を保護するため、胴体Ｂに装着してもよい。さらに、図示しないが、首や頭部に生じた傷であっても、このサポーター１０によって保護及び保湿を行うことができる。
【００５６】
すなわち、実施例２の動物用被覆材にあっては、下記に挙げる効果を得ることができる。
【００５７】
(5) 動物Ｄの体（足Ｆ、胴体Ｂ）が挿入される筒状の包囲体１１を有し、前記動物Ｄの体表面Ｄａを被覆する動物用被覆材（サポーター１０）であって、
少なくとも前記包囲体１１の前記動物Ｄに接触する内側接触面１２は、ゴム弾性を有すると共に、常温で液体の炭化水素油７を含有したエラストマー６によって形成されている構成とした。
これにより、動物Ｄの体表面Ｄａを保護しつつ、容易に保湿をすることができる。
【００５８】
以上、本発明の動物用被覆材を実施例１及び実施例２に基づいて説明してきたが、具体的な構成については、この実施例に限られるものではなく、特許請求の範囲の各請求項に係る発明の要旨を逸脱しない限り、設計の変更や追加等は許容される。
【００５９】
実施例１では、ソール部２が、エラストマー６によって形成されたインソール２ａと、このインソール２ａの外側を覆う布製のアウトソール２ｂとを有する構成とする例を示した。しかしながら、動物Ｄの足Ｆの足裏Ｆａ（肉球）が接触する足裏接触面４がエラストマー６によって形成されていればよいので、例えば、ソール部２の内側にエラストマー６を塗布（コーティング）し、足裏接触面４としてもよい。
また、足裏接触面４及び接地面５を含むソール部２の全体を、エラストマー６によって形成してもよい。
【００６０】
さらに、ソール部２及びアッパー部３を、全て炭化水素油７を含有したエラストマー６によって一体的に形成してもよい。この場合では、足裏Ｆａだけでなく、足Ｆの周面の保湿も同時に行うことが可能となる。
【００６１】
一方、実施例２では、包囲体１１の全体をエラストマー６によって形成する例を示したが、これに限らない。例えば、布等により筒状の包囲体を形成し、その内側面にエラストマー６を塗布（コーティング）することで、内側接触面１２をエラストマー６によって形成したものであってもよい。
【００６２】
また、布等によって筒状の包囲体を形成すると共に、その内側に着脱可能に嵌合する筒体をエラストマー６によって形成してもよい。この場合には、エラストマー６の汚れを包囲体によって防止することができる。また、動物Ｄがエラストマー６を直接舐めてしまうことを防止できる。
【００６３】
実施例１では、アウトソール２ｂを形成する多孔質材として布を例示したが、これに限らない。エラストマー６から浸み出した炭化水素油７が浸透し、接地面５に炭化水素油７の被膜が形成できればよい。そのため、例えば細かい穴の開いたゴムや、ニット等の織物等であってもよい。
【００６４】
そして、実施例１及び実施例２では、動物Ｄとして犬に動物用被覆材であるシューズ１やサポーター１０を装着する例を示したが、これに限らない。例えば猫や豚等の動物であっても使用することができる。
【符号の説明】
【００６５】
１  シューズ（動物用被覆材）
２  ソール部
２ａ  インソール
２ｂ  アウトソール
３  アッパー部
４  足裏接触面
５  接地面
６  エラストマー
７  炭化水素油
１０  サポーター（動物用被覆材）
１１  包囲部
１２  内側接触面
Ｄ  動物
Ｆ  足
Ｆａ  足裏（体表面）
【関連出願の相互参照】
【００６６】
本出願は、２０１７年７月５日に日本国特許庁に出願された特願２０１７-１３１６１３に基づいて優先権を主張し、その全ての開示は完全に本明細書で参照により組み込まれる。
【図１】
2019008893.tif 000003
【図２】
2019008893.tif 000004
【図３】
2019008893.tif 000005
【図４】
2019008893.tif 000006
【図５】
2019008893.tif 000007
【国際調査報告】
2019008893.tif 000008
2019008893.tif 000009